(57)【特許請求の範囲】
【請求項１】
名前および電話番号の標準登録項目の他に複数のオプション登録項目のデータ登録を行うことができる電話帳機能を備えた移動体通信端末における電話帳データ登録方法において、
前記標準登録項目と前記オプション登録項目とを備える電話帳の新規登録画面を呼び出して、前記標準登録項目の入力画面から前記オプション登録項目の入力画面に移行したとき、
前記オプション登録項目中のいずれの項目の入力画面であっても、次の新規登録画面に移行するキー入力操作が行われると、前記次の新規登録画面に移行させる処理がなされる、ことを特徴とする移動体通信端末における電話帳データ登録方法。
【請求項２】
請求項１に記載の電話帳データ登録方法において、
前記オプション登録項目は、前記標準登録項目で登録した電話番号以外の電話番号、グループ情報、シークレット設定、メールアドレス、文字伝送メッセージ送受信用簡易アドレスのいずれかであることを特徴とする移動体通信端末における電話帳データ登録方法。
【発明の詳細な説明】
【０００１】
【発明の属する技術分野】
本発明は携帯電話機やＰＨＳ端末等の移動体通信端末、より具体的には移動体通信端末における電話帳データ登録方法に関する。
【０００２】
【従来の技術】
近年、携帯電話機やＰＨＳ端末等の移動体通信端末は高機能化が進み、例えば電話帳に登録する内容も電話番号や名前以外に種々の項目を登録できるようになっている。具体的には、電話番号と名前の他に、２台目の電話番号、グループ情報、シークレット設定、メールアドレス等を電話帳にまとめて登録することができる。したがって、電話帳への登録または設定を行う場合、電話帳の新規登録画面を呼び出して電話番号や名前、そしてこれ以外の項目のうち必要な項目を登録または設定できるようになっていた。
【０００３】
【発明が解決しようとする課題】
しかしながら、このような従来技術では、確かに電話番号と名前の他に種々の内容を電話帳にまとめて登録または設定することはできるが、スクロールキー等により最後の項目までスクロールしなければ、続けて次の登録者を電話帳に登録することができなかった。したがって、新規に連続して電話帳に登録したい場合には余分なキー入力操作が必要となり、使い勝手が悪いという問題があった。
【０００４】
本発明はこのような従来技術の課題を解決し、続けて次の新規登録を行う場合でも、必要最小限のキー入力操作だけで登録または設定を行うことができる操作性に優れた移動体通信端末における電話帳データ登録方法を提供することを目的とする。
【０００５】
【課題を解決するための手段】
本発明は上述の課題を解決するために、名前および電話番号の標準登録項目の他に複数のオプション登録項目のデータ登録を行うことができる電話帳機能を備えた移動体通信端末における電話帳データ登録方法において、標準登録項目とオプション登録項目とを備える電話帳の新規登録画面を呼び出して、標準登録項目の入力画面からオプション登録項目の入力画面に移行したとき、オプション登録項目中のいずれの項目の入力画面であっても、次の新規登録画面に移行するキー入力操作が行われると、前記次の新規登録画面に移行させるような処理(制御)がなされる。
【０００６】
【発明の実施の形態】
次に添付図面を参照して本発明による移動体通信端末における電話帳データ登録方法の実施の形態を詳細に説明する。
図２を参照すると、本発明による移動体通信端末における電話帳データ登録方法が適用される移動体通信端末の機能ブロック図が示されている。本実施の形態による移動体通信端末は、文字メッセージをインターネットを介して送受信することができるメール機能を備え、電話帳にこのメールアドレス等を含む種々の情報を登録または設定できる通信端末である。
【０００７】
図２において、アンテナ１６が接続される送受信回路部１１は、移動体通信端末における送受信処理をＣＰＵ１２の制御によって実行する回路である。すなわち、送受信回路部１１は音声信号やデータ（文字データを含む）または制御信号等を高周波により変調してアンテナ１６により送出したり、アンテナ１６より受信した音声信号やデータまたは制御信号等を復調してＣＰＵ１２に出力する。
【０００８】
ＣＰＵ１２は、ＲＯＭ１７に記述されたプログラムに従い、操作キー１８および送受信回路部１１からの制御信号により動作し、送受信回路部１１、ＬＣＤドライバ２０および音声処理部１３を制御して、音声通信における呼処理を行う。ＣＰＵ１２はまた、ＲＡＭ１９に接続され、ＲＡＭ１９をＲＯＭ１７に記述されたプログラムを実行するときのワークエリアとして使用する。
【０００９】
さらに、ＣＰＵ１２は不揮発性メモリであるフラッシュメモリ２４に接続されている。ＣＰＵ１２は、受信した文字メッセージの履歴データ（メールの履歴情報および受信した文字メッセージ）や電話帳機能により登録または設定されたデータ等をフラッシュメモリ２４に記憶する。
【００１０】
図４はこのフラッシュメモリ２４に記憶される電話帳機能で登録または設定できる登録項目の内容の一例を示したものである。図４に示すように、この電話帳には＃１〜＃ｎまでのｎ件のユーザ情報を登録することができる。登録内容としては、名前と電話番号（電話番号１）の標準設定項目と、２台目の電話番号（電話番号２）、グループ情報、シークレット設定、メールアドレスおよびニックネーム（文字伝送メッセージ送受信用簡易アドレス）のオプション設定項目とがある。
【００１１】
この中でグループとは登録ユーザをあらかじめ決めたグループに分類することができる機能である。登録ユーザをグループ分けすることで、効率的に検索したり、グループ別に着信音を変えたり、アイコン表示を変えたりすることができる。シークレット設定とは、第三者に登録ユーザの情報を見られないようにする機能であり、登録ユーザを表示する場合に暗証番号を必要とする。メールアドレスとは、インターネット上でやりとりする電子メールのアドレスである。ニックネームとは文字伝送メッセージ用のアドレスであり、例えば、Ｅメールアドレスで見られる＠（アットマーク）の前をニックネームと定義し、登録ユーザがセンターへのオンラインサインアップの登録により、ニックネームを登録できる機能である。これによりセンターメールの受信やメールセンターへの文字伝送メッセージ送信が可能となり、相手に対して容易に自己のメールを見つけ出させることができる。
【００１２】
図２に戻って、ＬＣＤドライバ２０はＣＰＵ１２の制御にしたがって液晶ディスプレイであるＬＣＤ２２を駆動してこれの表示制御を行う。すなわち、ＬＣＤドライバ２０は、ＣＰＵ１２からの制御信号に対応する文字パターン（数字も含む）やアイコン（図形）パターンをフォントＲＯＭ２１から読み出し、ＬＣＤ２２に表示する。電話帳に登録または設定する場合もＬＣＤ２２にその内容が表示される。
【００１３】
操作キー１８は被呼者電話機の電話番号を入力するダイヤルボタンや発呼または応答を行うオフフックキー等、または各種の機能を設定する機能キーにより構成されている。操作キー１８は、具体的には図３の外観斜視図に示すように、例えばダイヤル番号や文字メッセージ等を入力するダイヤルボタン１８ｅ、電話帳機能で使用するリダイヤルボタン１８ａ、選択ボタン１８ｂ、着信履歴ボタン１８ｃおよびＦ（機能）／記号ボタン１８ｄを含んでいる。
【００１４】
音声処理部１３は音声信号の増幅処理を行う回路であり、スピーカ１４およびマイク１５に接続されている。すなわち、音声処理部１３は、ＣＰＵ１２より音声信号を入力するとこれを増幅してスピーカ１４より出力し、マイク１５より音声信号を入力するとこれを増幅してＣＰＵ１２に出力する。
バイブレータ２３は可聴音によりユーザに着信を通知する代わりに振動により着信を通知する図３に示した電話機全体を振動させる振動装置である。
【００１５】
図１は本実施の形態における電話帳データ登録方法の処理シーケンスを、ＬＣＤ２２（図２および図３参照）に表示される表示例とともに示した処理フローである。以下、図１〜図４を用いて本実施の形態の動作を説明する。
【００１６】
待ち受け処理の状態で（１００）、選択ボタン１８ｂ（［電話帳／選択］）を押下すると電話帳の操作メニューが表示される（１０２）。操作メニューが表示された状態でＦ／記号ボタン１８ｄ（［Ｆ／記号］）を押下すると、電話帳の登録操作画面に移行し、名前の登録画面になり、新規に電話帳に登録したい名前を入力できる状態になる（１０４）。
【００１７】
この状態でリダイヤルボタン１８ａ、着信履歴ボタン１８ｃおよびダイヤルボタン１８ｅを用いて、登録したい名前（ひらがな、カタカナおよび漢字）、図では「特許」を入力する。また、文字の代わりに絵文字（アイコン）を入力したい場合には、Ｆ／記号ボタン１８ｄを押下して、マーク入力が行える入力画面に移行する。
【００１８】
名前の入力が終わると、選択ボタン１８ｂを押下して入力した名前の読みを入力する画面に移行する（１０６）。そして、ダイヤルボタン１８ｅを用いて登録した名前の読みをカタカナで入力する。入力した読みでよければ、選択ボタン１８ｂを押下して１番目の電話番号の入力画面に移行し（１０８）、名前の登録画面に戻りたければＦ／記号ボタン１８ｄを押下する。入力画面１０８でダイヤルボタン１８ｅを用いて１番目の電話番号の入力が終了すると、図４に示した標準設定項目の入力が終了する。
【００１９】
１番目の電話番号の入力画面の状態で選択ボタン１８ｂを押下すると、図４に示したオプション設定項目の入力画面に移行する。図１ではこのオプション設定項目の表示画面を符号２００で示す点線で囲っている。オプション設定項目は図４に示した順に画面表示される。
【００２０】
すなわち、初めに２台目の電話番号の登録画面が表示され、着信履歴ボタン１８ｃ（［着信履歴／▼］）を押下する度に、グループ設定画面、シークレット設定画面、メールアドレス画面、ニックネーム設定画面が表示される。
【００２１】
また、符号２００で示したオプション設定項目の中では、リダイヤルボタン１８ａ（［リダイヤル／▲］）を押下する度に、１つ前の設定画面を表示することができる。
【００２２】
グループ設定画面、シークレット設定画面、メールアドレス画面、ニックネーム設定画面が表示された状態で選択ボタン１８ｂを押下すると、符号３００の点線で囲まれた表示画面が表示され、登録または設定が行えるようになる。すなわち、画面２０４に示すように、例えば「アドレス」の左に記号“＞”がある場合には設定項目である「アドレス」が選択されている状態を示し、このときに選択ボタン１８ｂを押下すると表示画面３０２が表示されてメールアドレスを入力できるようになる。
【００２３】
同様に、ニックネームの左に記号“＞”がある状態で選択ボタン１８ｂを押下すると表示画面３０４が表示されてニックネームの入力画面になり、グループ（図示せず）の左に記号“＞”がある状態で選択ボタン１８ｂを押下すると表示画面３０６が表示されてグループ設定画面になる。また、シークレット設定（図示せず）の左に記号“＞”がある状態で選択ボタン１８ｂを押下すると、表示画面３０８が表示されてシークレットの“ＯＦＦ”または“ＯＮ”を選択できる設定画面になる。
【００２４】
なお、２台目の電話番号を登録するオプション設定項目の最初の画面表示のときに選択ボタン１８ｂを押下すると、電話帳に登録できる空き登録件数が表示される（１１０）。そして、この表示画面１１０がしばらく表示された後、数秒後に待ち受け処理の表示画面１００になる。
【００２５】
また、オプション設定項目の登録または設定中は、いつでも次の新規登録に移行することができる。
【００２６】
すなわち、２台目の電話番号の登録画面、グループ設定画面、シークレット設定画面、メールアドレス画面、ニックネーム設定画面のオプション設定項目の表示画面が表示されている状態で、ダイヤルボタン１８ｅの中の記号［＃／＞］が記されたボタンを押下すると、電話帳に登録できる空き登録件数が表示され（１１０）、数秒後に次の新規登録画面（１１４）に移行する。
【００２７】
このように本実施の形態では、従来のように最後のオプション設定項目（ニックネーム設定画面）まで表示し、この状態でさらに選択ボタン１８ｂを押下してさらに新規登録を行うかかまたは終了するかを選択する設定画面（１１１）に進むことなく、次の新規登録を行うことができる。なお、標準設定項目が入力されていない状態で電話帳登録処理を終了させようとすると、画面表示４００に示すように「電話帳登録  データがありません」というメッセージが表示される。
【００２８】
【発明の効果】
このように本発明の移動体通信端末における電話帳データ登録方法によれば、余分なキー入力操作を行うことなく、効率的に連続して新規登録を行うことが可能となる。
【図面の簡単な説明】
【図１】本発明による移動体通信端末における電話帳データ登録方法の実施の形態を示す処理シーケンス。
【図２】本実施の形態における移動体通信端末の機能ブロック図。
【図３】図２に示した移動体通信端末の概観斜視図。
【図４】本実施の形態における電話帳に登録または設定できる項目例。
【符号の説明】
１１    送受信回路部
１２    ＣＰＵ
１３    音声処理部
１４    スピーカ
１５    マイク
１６    アンテナ
１７    ＲＯＭ
１８    操作キー
１８ａ  リダイヤルボタン
１８ｂ  選択ボタン
１８ｃ  着信履歴ボタン
１８ｄ  Ｆ（機能）／記号ボタン
１８ｅ  ダイヤルボタン
１９    ＲＡＭ
２０    ＬＣＤドライバ
２１    フォントＲＯＭ
２２    ＬＣＤ
２３    バイブレータ
２４    フラッシュメモリ
【図１】
0003590540.tif 000002
【図２】
0003590540.tif 000003
【図３】
0003590540.tif 000004
【図４】
0003590540.tif 000005